(57)【要約】【課題】オーディオ機器に保存するデータ量を抑える。【解決手段】オーディオシステム１０において、サーバ３００は、サーバ側楽曲情報３１０を記憶する。楽曲を再生するオーディオ装置１００は、楽曲データ１５１と装置側楽曲情報１５３を記憶する。装置側楽曲情報１５３は所定のグループに分類される。オーディオ装置１００は、記憶された装置側楽曲情報１５３のうち更新する範囲を指定する指示入力をユーザから受け付ける。装置側楽曲情報１５３のデータ量が所定値以上の場合、オーディオ装置１００は、ユーザによる利用頻度や予め設定された優先順位に基づいて、更新対象の装置側楽曲情報１５３が含まれるグループを特定し、特定したグループに対応するサーバ側楽曲情報３１０を、端末２００を介してサーバ３００から取得する。オーディオ装置１００は、取得したサーバ側楽曲情報３１０を用いて、装置側楽曲情報１５３を更新する。【選択図】図１
2010054630.tif 000002
【特許請求の範囲】
【請求項１】
楽曲データと、当該楽曲データの属性情報を表す楽曲情報とを記憶する記憶手段と、
当該楽曲データを再生し、当該楽曲情報を出力する出力手段と、
前記記憶される楽曲情報のうち更新する範囲を指定する範囲指定手段と、
前記記憶される楽曲情報の容量が所定値以上の場合、前記記憶される楽曲情報のうち前記範囲指定手段により指定される範囲に含まれる楽曲情報を更新する更新手段と、
を備えることを特徴とするオーディオ装置。
【請求項２】
前記更新手段は、前記記憶される楽曲情報のうち、前記出力手段により出力された頻度が高い楽曲情報を更新する、
ことを特徴とする、請求項１に記載のオーディオ装置。
【請求項３】
当該楽曲情報には、当該楽曲データが属するジャンルを示すジャンル情報が含まれ、
前記記憶手段は、当該楽曲データと当該ジャンル情報とを対応付けて記憶し、
前記更新手段は、前記記憶される楽曲情報のうち、前記出力手段により出力される頻度が高いジャンルに属する楽曲データに対応する楽曲情報を更新する、
ことを特徴とする、請求項１又は２に記載のオーディオ装置。
【請求項４】
ユーザからの入力を受け付ける入力受付手段を更に備え、
前記範囲指定手段は、前記入力受付手段による入力に基づいて、前記記憶される楽曲情報のうち更新する優先順位を指定し、
前記更新手段は、前記記憶される楽曲情報の容量が所定値以上の場合、前記指定される優先順位に基づいて、前記記憶される楽曲情報を更新する、
ことを特徴とする、請求項１乃至３のいずれか１項に記載のオーディオ装置。
【請求項５】
前記更新手段は、前記記憶される楽曲情報の容量が所定値以上の場合、前記記憶される楽曲情報のうち前記指定された範囲に含まれる楽曲情報を削除する、
ことを特徴とする、請求項１に記載のオーディオ装置。
【請求項６】
前記更新手段は、前記記憶される楽曲情報のうち、前記出力手段により出力された頻度が低い楽曲情報を削除する、
ことを特徴とする、請求項５に記載のオーディオ装置。
【請求項７】
当該楽曲情報には、当該楽曲データが属するジャンルを示すジャンル情報が含まれ、
前記記憶手段は、当該楽曲データと当該ジャンル情報とを対応付けて記憶し、
前記更新手段は、前記記憶される楽曲情報のうち、前記出力手段により出力された頻度が低いジャンルに属する楽曲データに対応する楽曲データを削除する、
ことを特徴とする、請求項５又は６に記載のオーディオ装置。
【請求項８】
ユーザからの入力を受け付ける入力受付手段を更に備え、
前記範囲指定手段は、前記入力受付手段による入力に基づいて、前記記憶される楽曲情報のうち削除する優先順位を指定し、
前記更新手段は、前記記憶される楽曲情報の容量が所定値以上の場合、前記指定される優先順位に基づいて、前記記憶される楽曲情報を削除する、
ことを特徴とする、請求項５乃至７のいずれか１項に記載のオーディオ装置。
【請求項９】
記憶手段と処理手段を有するオーディオ装置にて実行される情報記録方法であって、
前記記憶手段には、楽曲データと、当該楽曲データの属性情報を表す楽曲情報とが記憶され、
前記処理手段が、当該楽曲データを再生し、当該楽曲情報を出力し、
前記処理手段が、前記記憶される楽曲情報のうち更新する範囲を指定し、
前記記憶される楽曲情報の容量が所定値以上の場合、前記処理手段が、前記記憶される楽曲情報のうち前記指定される範囲に含まれる楽曲情報を更新する、
ことを特徴とする情報記録方法。
【請求項１０】
コンピュータを、
楽曲データと、当該楽曲データの属性情報を表す楽曲情報とを記憶する記憶手段、
当該楽曲データを再生し、当該楽曲情報を出力する出力手段、
前記記憶される楽曲情報のうち更新する範囲を指定する範囲指定手段、
前記記憶される楽曲情報の容量が所定値以上の場合、前記記憶される楽曲情報のうち前記範囲指定手段により指定される範囲に含まれる楽曲情報を更新する更新手段、
として機能させることを特徴とするプログラム。
【発明の詳細な説明】
【技術分野】
【０００１】
本発明は、ローカルに保存するデータ量を抑えるために好適なオーディオ装置、情報記録方法、ならびに、プログラムに関する。
【背景技術】
【０００２】
近年、電子ファイル化された楽曲データを記憶できるハードディスクやフラッシュメモリ等を内蔵したオーディオ装置が普及している。ユーザは、楽曲をインターネット経由で購入し、サイトからオーディオ装置に楽曲データを取得することができる。オーディオ装置は、楽曲データと共に、アルバム名、アーティスト名、曲名などの楽曲に関する情報（以下「楽曲情報」という。）をダウンロードすることができる。例えば新譜の音楽がリリースされると、楽曲情報を管理するサーバには、その音楽についての楽曲情報が新たに登録される。また、必要に応じて楽曲情報の内容が更新されることもある。
【０００３】
インターネットに接続されていないオーディオ装置は、楽曲情報を直接サーバから取得することができないため、オーディオ装置内に予め楽曲情報を保有しておくことがある。例えば、オーディオ装置には、サーバに登録されるすべての楽曲情報のうち、検索される回数が多い楽曲情報を抽出し、ローカルデータベースとしてオーディオ装置内に格納するものがある。ユーザは、インターネットに接続できる端末にオーディオ装置を繋げて、ローカルデータベースをサーバ側と同期させる。特許文献１には、楽曲データのリッピング時やコピー時に楽曲情報の同期をとる電子装置が開示されている。
【０００４】
【特許文献１】特開２００６−２７７４３２号公報
【発明の開示】
【発明が解決しようとする課題】
【０００５】
ところで、オーディオ装置がローカルデータベースとして楽曲情報を格納する場合、楽曲情報の更新の度にローカルデータベースの消費メモリ量が増えてしまい、メモリが足りなくなってしまう恐れがある。また、ローカルデータベースが大きくなると、その更新にかかる時間も長くなってしまうという問題がある。
【０００６】
本発明は、このような課題を解決するものであり、ローカルに保存するデータ量を抑えるために好適なオーディオ装置、情報記録方法、ならびに、プログラムを提供することを目的とする。
【課題を解決するための手段】
【０００７】
この目的を達成するため、本発明の第１の観点に係るオーディオ装置は、
楽曲データと、当該楽曲データの属性情報を表す楽曲情報とを記憶する記憶手段と、
当該楽曲データを再生し、当該楽曲情報を出力する出力手段と、
前記記憶される楽曲情報のうち更新する範囲を指定する範囲指定手段と、
前記記憶される楽曲情報の容量が所定値以上の場合、前記記憶される楽曲情報のうち前記範囲指定手段により指定される範囲に含まれる楽曲情報を更新する更新手段と、
を備えることを特徴とする。
【０００８】
前記更新手段は、前記記憶される楽曲情報のうち、前記出力手段により出力された頻度が高い楽曲情報を更新してもよい。
【０００９】
当該楽曲情報には、当該楽曲データが属するジャンルを示すジャンル情報が含まれ、
前記記憶手段は、当該楽曲データと当該ジャンル情報とを対応付けて記憶し、
前記更新手段は、前記記憶される楽曲情報のうち、前記出力手段により出力される頻度が高いジャンルに属する楽曲データに対応する楽曲情報を更新してもよい。
【００１０】
オーディオ装置は、ユーザからの入力を受け付ける入力受付手段を更に備え、
前記範囲指定手段は、前記入力受付手段による入力に基づいて、前記記憶される楽曲情報のうち更新する優先順位を指定し、
前記更新手段は、前記記憶される楽曲情報の容量が所定値以上の場合、前記指定される優先順位に基づいて、前記記憶される楽曲情報を更新してもよい。
【００１１】
前記更新手段は、前記記憶される楽曲情報の容量が所定値以上の場合、前記記憶される楽曲情報のうち前記指定された範囲に含まれる楽曲情報を削除してもよい。
【００１２】
前記更新手段は、前記記憶される楽曲情報のうち、前記出力手段により出力された頻度が低い楽曲情報を削除してもよい。
【００１３】
当該楽曲情報には、当該楽曲データが属するジャンルを示すジャンル情報が含まれ、
前記記憶手段は、当該楽曲データと当該ジャンル情報とを対応付けて記憶し、
前記更新手段は、前記記憶される楽曲情報のうち、前記出力手段により出力された頻度が低いジャンルに属する楽曲データに対応する楽曲データを削除してもよい。
【００１４】
オーディオ装置は、ユーザからの入力を受け付ける入力受付手段を更に備え、
前記範囲指定手段は、前記入力受付手段による入力に基づいて、前記記憶される楽曲情報のうち削除する優先順位を指定し、
前記更新手段は、前記記憶される楽曲情報の容量が所定値以上の場合、前記指定される優先順位に基づいて、前記記憶される楽曲情報を削除してもよい。
【００１５】
本発明の第２の観点に係る情報記録方法は、記憶手段と処理手段を有するオーディオ装置にて実行される情報記録方法であって、
前記記憶手段には、楽曲データと、当該楽曲データの属性情報を表す楽曲情報とが記憶され、
前記処理手段が、当該楽曲データを再生し、当該楽曲情報を出力し、
前記処理手段が、前記記憶される楽曲情報のうち更新する範囲を指定し、
前記記憶される楽曲情報の容量が所定値以上の場合、前記処理手段が、前記記憶される楽曲情報のうち前記指定される範囲に含まれる楽曲情報を更新する、
ことを特徴とする。
【００１６】
本発明の第３の観点に係るプログラムは、コンピュータを、
楽曲データと、当該楽曲データの属性情報を表す楽曲情報とを記憶する記憶手段、
当該楽曲データを再生し、当該楽曲情報を出力する出力手段、
前記記憶される楽曲情報のうち更新する範囲を指定する範囲指定手段、
前記記憶される楽曲情報の容量が所定値以上の場合、前記記憶される楽曲情報のうち前記範囲指定手段により指定される範囲に含まれる楽曲情報を更新する更新手段、
として機能させることを特徴とする。
【発明の効果】
【００１７】
本発明によれば、ローカルに保存するデータ量を抑えるために好適なオーディオ装置、情報記録方法、ならびに、プログラムを提供することができる。
【発明を実施するための最良の形態】
【００１８】
（実施形態１）
本発明の実施形態を説明する。以下の実施形態は説明のためのものであり、本願発明の範囲を制限するものではない。したがって、当業者であればこれらの各要素もしくは全要素をこれと均等なものに置換した実施形態を採用することが可能であるが、これらの実施形態も本発明の範囲に含まれる。
【００１９】
図１は、本実施形態に係るオーディオシステム１０の概要構成を説明するための図である。オーディオシステム１０は、オーディオ装置１００、端末２００、サーバ３００、ネットワーク４００から構成される。
【００２０】
オーディオ装置１００は、典型的には、据え置き型のオーディオ機器、ポータブル型のオーディオ機器、自動車等に搭載する車載型のオーディオ機器などである。オーディオ装置１００は、例えばＭＰ３（Moving Picture Experts Group Audio Layer-3）などのデータ形式で作成された楽曲データ１５１を記憶し、ユーザからの指示により再生する。また、オーディオ装置１００は、楽曲の曲名、アルバム名、アーティスト名、ジャンル名など楽曲に関する情報（以下「装置側楽曲情報」という。）１５３を記憶し、装置側楽曲情報１５３の内容を映像あるいは音声により出力する。ユーザは、楽曲を聴くことができ、楽曲に関する詳しい情報を知ることができる。
【００２１】
端末２００は、いわゆるパーソナルコンピュータ（ＰＣ）等である。オーディオ装置１００と端末２００を接続することで、オーディオ機器１００と端末２００との間でデータを送受信することが可能である。あるいは、オーディオ装置１００と端末２００のいずれにも着脱可能な情報記録媒体を介して、オーディオ機器１００と端末２００との間でデータをやりとりすることも可能である。さらには、オーディオ装置１００が通信機能を有し、端末２００を介さずにネットワーク４００に接続してもよい。
【００２２】
サーバ３００は、曲名、アルバム名、アーティスト名、ジャンル名など楽曲に関する情報であって、マスターとなる情報（以下「サーバ側楽曲情報」という。）３１０を記憶し、ネットワーク４００を介して端末２００に送信する。サーバ側楽曲情報３１０は、管理者によって随時更新される。端末２００に送信されるサーバ側楽曲情報３１０は、端末２００に接続されるオーディオ装置１００に更に送信され、後述する更新処理等により、装置側楽曲情報１５３とサーバ側楽曲情報３１０との同期が取られる。
【００２３】
端末２００とサーバ３００は、ネットワーク４００を介して接続される。ネットワーク４００は、典型的にはインターネットである。ただし、ネットワーク４００は、ＷＡＮ（Wide Area Network）、ＬＡＮ（Local Area Network）、専用回線などでもよい。
【００２４】
オーディオ装置１００のユーザは、サーバ３００に格納されたすべてのサーバ側楽曲情報３１０の中から一部（又は全部でもよい）を指定してオーディオ装置１００に記憶させる（ダウンロードする）ことができる。
【００２５】
次に、オーディオ装置１００、端末２００、サーバ３００の構成について、それぞれ詳しく説明する。
図２は、本実施形態に係るオーディオ装置１００の構成を説明するための図である。オーディオ装置１００は、記憶部１０１、入力受付部１０２、音声処理部１０３、画像処理部１０４、Ｉ／Ｆ（インターフェース）１０５、ＲＯＭ（Read Only Memory）１０６、ＲＡＭ（Random Access Memory）１０７、及び、制御部１０８を備える。
【００２６】
記憶部１０１は、ハードディスクドライブ（ＨＤＤ）やフラッシュメモリなどの記憶装置を備え、制御部１０８の制御により様々なデータを記憶する。記憶部１０１は、例えばＭＰ３などのデータ形式で作成された楽曲データ１５１を記憶する。ただし、楽曲データ１５１のデータ形式は本発明によって限定されない。記憶部１０１は、１つ又は複数の楽曲データ１５１を記憶することができる。
【００２７】
また、記憶部１０１は、図３に示すように、曲名、アルバム名、アーティスト名、ジャンル名などの装置側楽曲情報１５３を格納する楽曲情報データベース１５５を記憶する。なお、曲名やアルバム名など、装置側楽曲情報１５３に含まれる各項目データを、それぞれ「メタデータ」と呼ぶこともある。制御部１０８は、楽曲情報データベース１５５を検索する際、１つ以上のメタデータを用いて検索条件を設定することができる。
【００２８】
入力受付部１０２は、所定のボタンやキー（いずれも図示せず）などの入力装置１２１に接続される。入力受付部１０２は、入力装置１２１を用いてユーザからの指示入力（例えば、再生ボタンの押圧による再生開始の指示入力など）やデータ入力に基づいて入力信号を生成し、制御部１０８に入力する。これにより、ユーザは、オーディオ装置１００に所望の指示を与えることができる。なお、入力装置１２１として、ボタンやキーの代わりに、あるいはこれらに加えて、タッチパネル、マウス、キーボード、マイクロフォンなど他の入力デバイスを用いてもよい。
【００２９】
音声処理部１０３は、スピーカー１２２などの音声出力装置に接続される。音声処理部１０３は、制御部１０８の制御により、記憶部１０１から読み出した楽曲データ１５１を音声処理部１０３が備えるＤ／Ａコンバータ（図示せず）によってディジタル−アナログ変換して復調した後、音声をスピーカー１２２に出力する。すなわち、オーディオ装置１００が楽曲データ１５１をデコードし、ユーザは所望の楽曲を聴くことができる。
【００３０】
画像処理部１０４は、ＬＣＤ（Liquid Crystal Display）１２３などの表示装置に接続される。画像処理部１０４は、制御部１０８の制御により、楽曲情報データベース１５５から読み出した装置側楽曲情報１５３の内容等をＬＣＤ１２３に表示する。すなわち、楽曲情報データベース１５５に格納された装置側楽曲情報１５３の内容が表示され、ユーザは楽曲に関する詳しい情報を見ることができる。
【００３１】
Ｉ／Ｆ１０５は、メモリカード１２４等の着脱可能な外部記録媒体との接続を行いデータの入出力を行うインターフェースを備える。例えば、ＵＳＢ（Universal Serial Bus）接続によりオーディオ装置１００と外部機器とを接続して、外部機器との間でデータの入出力を行うことができる。
【００３２】
ＲＯＭ１０６は、オーディオ装置１００全体の動作制御に必要なオペレーティングシステム（ＯＳ）、プログラム、各種のデータ等を記憶する不揮発性メモリである。
【００３３】
ＲＡＭ１０７は、データやプログラムを一時的に記憶するためのもので、記憶部１０１から読み出された楽曲データ１５１や装置側楽曲情報１５３などが保持される揮発性メモリである。また、制御部１０８は、ＲＡＭ１０７に変数領域を設け、この変数に格納された値に対して演算を行う処理や、ＲＡＭ１０７に格納された値を一旦レジスタという高速アクセスが可能な記憶域に格納し、レジスタに対して演算を行い、演算結果をＲＡＭ１０７に書き戻す処理などを行う。
【００３４】
制御部１０８は、ＣＰＵ（Central Processing Unit）やＤＳＰ（Digital Signal Processor）等から構成され、オーディオ装置１００全体を制御し、上記各構成要素と接続され、制御信号やデータをやりとりする。制御部１０８は、レジスタに対してＡＬＵ（Arithmetic Logic Unit）（図示せず）を用いて加減乗除等の算術演算や、論理和、論理積、論理否定等の論理演算、ビット和、ビット積、ビット反転、ビットシフト、ビット回転等のビット演算などを行うことができる。また、制御部１０８は、マルチメディア処理対応のための加減乗除等の飽和演算や、三角関数等、ベクトル演算などを高速に行えるように構成されている。あるいはコプロセッサを備えて実現されてもよい。
【００３５】
例えば制御部１０８は、記憶部１０１に記憶される楽曲データ１５１を再生するとともに、再生する楽曲に対応する装置側楽曲情報１５３を楽曲情報データベース１５５から読み出し、楽曲に関する情報などをＬＣＤ１２３に表示する。
【００３６】
次に、端末２００の構成について、図４を用いて説明する。端末２００は、通信部２０１、入力受付部２０２、出力部２０３、Ｉ／Ｆ２０４、記憶部２０５、制御部２０６を備える。
【００３７】
通信部２０１は、ＮＩＣ（Network Interface Card）などから構成される。端末２００は、通信部２０１により接続されるネットワーク４００を介して、サーバ３００とデータを送受信する。例えば、通信部２０１は、制御部２０６の制御により、サーバ３００から最新のサーバ側楽曲情報３１０を、あるいは、現在楽曲情報データベース１５５に格納されている装置側楽曲情報１５３とサーバ３００に格納されているサーバ側楽曲情報３１０との差分データを受信する。
【００３８】
入力受付部２０２は、マウスやキーボードなどの入力装置に接続され、ユーザからの指示入力を受け付ける。
【００３９】
出力部２０３は、モニターなどの表示装置やスピーカーなどの音声出力装置に接続され、映像や音声を出力する。
【００４０】
Ｉ／Ｆ２０４は、メモリカード１２４等の着脱可能な外部記録媒体との接続を行いデータの入出力を行うインターフェースを備える。
【００４１】
記憶部２０５は、ＲＡＭ、ＲＯＭ、ＨＤＤ等から構成される。
【００４２】
制御部２０６は、ＣＰＵ等から構成される。制御部２０６は、通信部２０１によりサーバ３００から受信したサーバ側楽曲情報３１０（又は装置側楽曲情報１５３とサーバ側楽曲情報３１０との差分データ）を、Ｉ／Ｆ２０４に接続されるメモリカード１２４に記憶させる。メモリカード１２４に記憶されたサーバ側楽曲情報３１０又はその差分データは、オーディオ装置１００の記憶部１０１に格納される楽曲情報データベース１５５を端末２００の制御部１０８が更新するために用いられる。
【００４３】
次に、サーバ３００の構成について、図５を用いて説明する。サーバ３００は、通信部３０１、記憶部３０２、制御部３０３を備える。
【００４４】
通信部３０１は、ＮＩＣなどから構成される。サーバ３００は、通信部３０１により接続されるネットワーク４００を介して端末２００との間でデータを送受信する。例えば、通信部３０１は、端末２００からの要求に応じて、記憶部３０２に格納されるサーバ側楽曲情報３１０、あるいは、サーバ側楽曲情報３１０の差分データを、制御部３０３の制御により端末２００に送信する。
【００４５】
記憶部３０２は、ＲＡＭ、ＲＯＭ、ＨＤＤ等から構成される。記憶部３０２は、サーバ側楽曲情報３１０を予め格納する。記憶部３０２に格納されるサーバ側楽曲情報３１０は、管理者によって更新、追加あるいは削除されることがある。したがって、オーディオ装置１００の記憶部１０１に格納される装置側楽曲情報１５３と、サーバ３００の記憶部３０２に格納されるサーバ側楽曲情報３１０とが一致しないことがある。これらが一致しない場合、更新処理により同期を取ることができるが、詳細は後述する。
【００４６】
制御部３０３は、ＣＰＵ等から構成される。制御部３０３は、端末２００からサーバ側楽曲情報３１０（又は装置側楽曲情報１５３とサーバ側楽曲情報３１０との差分データ）を送信する要求を通信部３０１により受け取ると、要求されたサーバ側楽曲情報３１０あるいはその差分データを、端末２００に送信する。
【００４７】
次に、楽曲情報データベース１５５の更新処理について、図６のフローチャートを用いて説明する。オーディオ装置１００は、サーバ３００から送信されるサーバ側楽曲情報３１０に基づき、楽曲情報データベース１５５を更新することができる。以下詳述する。
【００４８】
まず、オーディオ装置１００の入力受付部１０２は、楽曲情報データベース１５５の装置側楽曲情報１５３を更新する範囲を指定する入力を受け付ける（ステップＳ６０１）。
【００４９】
例えば制御部１０８は、図７に示す画面７００を表示させ、すべてのジャンルの中から、更新するジャンルをユーザに選択させる。ユーザは、所定のジャンルの中から更新を希望するジャンルにチェックマークを付け、任意のジャンルを更新範囲として指定することができる。すなわち、制御部１０８は、ユーザによる設定入力に基づいて装置側楽曲情報１５３の更新範囲を設定する。
【００５０】
あるいは、例えば制御部１０８は、図８に示す画面８００を表示させ、更新するジャンルをユーザに選択させる。ユーザは、記憶部１０１に記憶された楽曲データ１５１が属するすべてのジャンルの中から、更新を希望するジャンルにチェックマークを付け、任意のジャンルを更新範囲として指定することができる。
【００５１】
更新範囲は、典型的には、上述のメタデータを用いて定義される。例えば、更新範囲は、「アーティスト名○○のすべての楽曲」、「ジャンル△△、且つ、××年代の楽曲」などのように表される。ユーザは、入力装置１２１を操作して任意の更新範囲を指定することができる。
【００５２】
図７，８では、メタデータのうちの「ジャンル」を用い、ジャンルごとに更新範囲を選択することができるようになっている。ただし、ユーザが選択できる項目の分類の仕方は、ジャンルに限られず、任意である。
【００５３】
制御部１０８は、ステップＳ６０１で受け付けた要求に基づいて、楽曲情報データベース１５５の更新範囲を判別し、判別した更新範囲を示す更新要求情報を生成する（ステップＳ６０２）。
【００５４】
制御部１０８は、メモリカード１２４がＩ／Ｆ１０５に接続されているか否かを判別する（ステップＳ６０３）。
【００５５】
メモリカード１２４が接続されていない場合（ステップＳ６０３；ＮＯ）、制御部１０８は、メモリカード１２４を接続するようにユーザに要求するメッセージ等を出力し、メモリカード１２４が接続されるまで待機する。
【００５６】
一方、メモリカード１２４が接続されている場合（ステップＳ６０３；ＹＥＳ）、制御部１０８は、ステップＳ６０２で生成した更新要求情報をメモリカード１２４に記録する（ステップＳ６０４）。
【００５７】
更新要求情報の書き込みが終了すると、制御部１０８は、メモリカード１２４を取り出して端末２００に装着するようにユーザに指示するメッセージ等を出力する。
【００５８】
次に、端末２００の制御部２０６は、Ｉ／Ｆ２０４に接続されたメモリカード１２４から更新要求情報を取得し、取得した更新要求情報をサーバ３００に送信する（ステップＳ６０５）。
【００５９】
サーバ３００の制御部３０３は、更新要求情報を端末２００から受信する（ステップＳ６０６）。
【００６０】
制御部３０３は、ステップＳ６０６で受信した更新要求情報で指定された更新範囲を検索条件として、記憶部３０２に予め格納されたサーバ側楽曲情報３１０の中から、端末２００に送信するサーバ側楽曲情報３１０を抽出する（ステップＳ６０７）。ここで抽出されるサーバ側楽曲情報３１０は、記憶部３０２に予め格納されるすべてのサーバ側楽曲情報３１０のうち、ユーザによって指定された更新範囲に含まれるデータである。
【００６１】
制御部３０３は、通信部３０１を制御して、ステップＳ６０７で抽出したサーバ側楽曲情報３１０を端末２００に送信する（ステップＳ６０８）。
【００６２】
端末２００の制御部２０６は、サーバ側楽曲情報３１０をサーバ３００から受信する（ステップＳ６０９）。
【００６３】
制御部２０６は、ステップＳ６０９で受信したサーバ側楽曲情報３１０と、現在オーディオ装置１００の楽曲情報データベース１５５に格納されている装置側楽曲情報１５３とに内容が異なる部分（差分）があるか否かを判別する（ステップＳ６１０）。
【００６４】
より詳細には、制御部２０６は、ステップＳ６０５で取得した更新要求情報で指定された更新範囲に含まれるサーバ側楽曲情報３１０であって、現在オーディオ装置１００の楽曲情報データベース１５５に格納されている装置側楽曲情報１５３よりも更新日時や作成日時が新しいサーバ側楽曲情報３１０があるか否かを判別することにより、差分があるか否かを判別する。つまり、制御部２０６は、指定された更新範囲内に、内容が更新されたり新しく追加されたりしたサーバ側楽曲情報３１０があるか否かを判別する。
【００６５】
あるいは、制御部２０６は、指定された更新範囲内において、オーディオ装置１００の楽曲情報データベース１５５に格納されている装置側楽曲情報１５３の中に、対応するサーバ側楽曲情報３１０がサーバ３００の記憶部３０２から削除されたものがあるか否かを判別することにより、差分があるか否かを判別する。
【００６６】
更新範囲内に差分があると判別された場合（ステップＳ６１０；ＹＥＳ）、制御部２０６は、判別した差分内容を示す差分データを生成し、生成した差分データをメモリカード１２４に書き込む（ステップＳ６１１）。
【００６７】
一方、更新範囲内に差分がないと判別された場合（ステップＳ６１０；ＮＯ）、オーディオ装置１００と端末２００はステップＳ６１２の処理に進む。あるいは、制御部２０６は、ユーザにより指定された更新範囲内に差分がないことを示すデータをメモリカード１２４に記憶してもよい。
【００６８】
差分データの書き込みが終了した後、又は、差分がないと判別した後、制御部２０６は、メモリカード１２４を取り出してオーディオ装置１００に装着するようにユーザに指示するメッセージ等を出力する。
【００６９】
次に、端末２００の制御部１０８は、Ｉ／Ｆ１０５に接続されたメモリカード１２４に差分データが記憶されているか否かを判別する（ステップＳ６１２）。
【００７０】
差分データが記憶されている場合（ステップＳ６１２；ＹＥＳ）、制御部１０８は、差分データをメモリカード１２４から読み出し、読み出した差分データに基づいて、楽曲情報データベース１５５を更新する（ステップＳ６１３）。差分データが記憶されていない場合（ステップＳ６１２；ＮＯ）、オーディオ装置１００は更新処理を終了する。
【００７１】
本実施形態によれば、オーディオ装置１００は、サーバ側楽曲情報３１０と内容が合致するように、ユーザの都合の良いタイミングで、楽曲情報データベース１５５を更新することができる。オーディオ装置１００は、楽曲情報データベース１５５の全体ではなくユーザによって指定された範囲のみ更新することができるので、楽曲情報データベース１５５の保持に必要な容量を抑えることができ、また、更新に要する時間を短縮することができる。
【００７２】
（実施形態２）
次に、本発明のその他の実施形態について説明する。本実施形態のオーディオ装置１００は、楽曲情報データベース１５５の容量が大きくなりすぎないように、装置側楽曲情報１５３を部分的に削除することができる。以下詳述する。
【００７３】
図９は、オーディオ装置１００が実行する装置側楽曲情報１５３の削除処理を説明するためのフローチャートである。
【００７４】
まず、制御部１０８は、楽曲情報データベース１５５の現在のデータ量を取得し、取得したデータ量が所定値以上か否かを判別する（ステップＳ９０１）。現在のデータ量は、楽曲情報データベース１５５を記憶部１０１に保持するために必要な容量のことである。
【００７５】
ここで、ステップＳ９０１における所定値は、例えばユーザによって設定され、予め記憶部１０１に記憶される。この所定値は、例えば“○○メガバイト”などというように、容量を表す具体的な数値を用いて設定されてもよいし、例えば“○○パーセント”などというように、記憶部１０１が記憶できる最大容量に対する現在の楽曲情報データベース１５５のデータ量の割合を用いて設定されてもよい。
【００７６】
取得したデータ量が所定値以上でない場合（ステップＳ９０１；ＮＯ）、制御部１０８は削除処理を終了する。
【００７７】
取得したデータ量が所定値以上である場合（ステップＳ９０１；ＹＥＳ）、制御部１０８は、装置側楽曲情報１５３の削除範囲が設定されているか否かを判別する（ステップＳ９０２）。
【００７８】
例えば、制御部１０８は、図１０に示すような画面１０００をＬＣＤ１２３に表示させ、削除範囲の設定入力をユーザから受け付ける。ユーザは、削除してもよい装置側楽曲情報１５３の項目にチェックマークを付けることによって、削除範囲を設定することができる。すなわち、制御部１０８は、ユーザによる設定入力に基づいて装置側楽曲情報１５３の削除範囲を設定する。設定される削除範囲を示す情報は、記憶部１０１の所定記憶領域に格納される。ただし、削除範囲は、ジャンルごとに設定できてもよいし、上述の任意のメタデータに基づいて設定できてもよい。なお、制御部１０８は、本実施形態の削除処理を開始するタイミングと異なる任意のタイミングで、削除範囲の設定入力を受け付けることができる。
【００７９】
装置側楽曲情報１５３の削除範囲が設定されている場合（ステップＳ９０２；ＹＥＳ）、制御部１０８は、楽曲情報データベース１５５のうち、設定されている削除範囲に含まれる装置側楽曲情報１５３を削除する（ステップＳ９０３）。
【００８０】
一方、装置側楽曲情報１５３の削除範囲が設定されていない場合（ステップＳ９０２；ＮＯ）、制御部１０８は、装置側楽曲情報１５３を削除する優先順位が設定されているか否かを判別する（ステップＳ９０４）。
【００８１】
例えば、制御部１０８は、図１１に示すような画面１１００をＬＣＤ１２３に表示させ、削除する項目の優先順位の設定入力をユーザから受け付ける。ユーザは、削除してもよい装置側楽曲情報１５３の項目の優先順位を、追加ボタン、削除ボタン、順位を１段階上げるボタン、順位を１段階下げるボタン等を用いて項目を並べることによって、設定することができる。設定される優先順位は、記憶部１０１の所定記憶領域に格納される。ただし、優先順位は、ジャンルごとに設定できてもよいし、上述の任意のメタデータに基づいて設定できてもよい。なお、制御部１０８は、本実施形態の削除処理を開始するタイミングと異なる任意のタイミングで、優先順位の設定入力を受け付けることができる。
【００８２】
優先順位が設定されている場合（ステップＳ９０４；ＹＥＳ）、制御部１０８は、設定されている優先順位に基づいて、装置側楽曲情報１５３を削除する（ステップＳ９０５）。
【００８３】
そして、制御部１０８は、楽曲情報データベース１５５の現在のデータの容量を取得し、取得した容量が所定値以上か否かを判別する（ステップＳ９０６）。
【００８４】
取得した容量が所定値以上でない場合（ステップＳ９０６；ＮＯ）、制御部１０８は削除処理を終了する。
【００８５】
取得した容量が所定値以上である場合（ステップＳ９０６；ＹＥＳ）、制御部１０８は、ステップＳ９０５に戻り、設定されている優先順位に基づいて、装置側楽曲情報１５３を削除する。
【００８６】
例えば、削除対象の優先順位として、“ロック”（１位）と“ジャズ”（２位）とが設定されているとする。制御部１０８は、まず、優先順位第１位の“ロック”に分類される装置側楽曲情報１５３のみを削除する。制御部１０８は、“ロック”に分類される装置側楽曲情報１５３を削除した後の楽曲情報データベース１５５のデータ量がまだ所定値以上である場合、更に優先順位第２位の“ジャズ”に分類される装置側楽曲情報１５３を削除する。ただし、制御部１０８は、“ロック”に分類される装置側楽曲情報１５３を削除した後の楽曲情報データベース１５５のデータ量が所定値未満になった場合、“ジャズ”に分類される装置側楽曲情報１５３は削除しない。
【００８７】
削除対象の優先順位が設定されていない場合（ステップＳ９０４；ＮＯ）、制御部１０８は、図１０に示すような画面１０００を表示させ、削除範囲の設定入力を受け付ける（ステップＳ９０７）。
【００８８】
制御部１０８は、ステップＳ９０７で受け付けた削除範囲に基づいて、削除対象の装置側楽曲情報１５３があるか否かを判別する（ステップＳ９０８）。
【００８９】
削除対象の装置側楽曲情報１５３がある場合（ステップＳ９０８；ＹＥＳ）、制御部１０８は、楽曲情報データベース１５５のうち、設定された削除範囲に含まれる装置側楽曲情報１５３を削除する（ステップＳ９０３）。
【００９０】
一方、削除対象の装置側楽曲情報１５３がない場合（ステップＳ９０８；ＮＯ）、制御部１０８は削除処理を終了する。
【００９１】
本実施形態によれば、オーディオ装置１００は、ユーザによって設定される削除範囲あるいは削除の優先順位に基づいて装置側楽曲情報１５３を削除することにより、楽曲情報データベース１５５の保持に必要な容量を抑えることができる。
【００９２】
なお、制御部１０８は、ステップＳ９０７で受け付けた削除範囲を示す情報を記憶部１０１に記憶させ、次回以降の削除処理の実行時に読み出して用いるようにしてもよい。
【００９３】
また、制御部１０８は、削除対象の優先順位が設定されていない場合（ステップＳ９０４；ＮＯ）、図１１に示すような画面１１００を表示させ、優先順位の設定入力を受け付け（ステップＳ９０７）、削除対象の装置側楽曲情報１５３がある場合（ステップＳ９０８；ＹＥＳ）、楽曲情報データベース１５５のうち、設定された優先順位に基づいて装置側楽曲情報１５３を削除するようにしてもよい。
【００９４】
（実施形態３）
次に、本発明のその他の実施形態について説明する。本実施形態では、オーディオ装置１００は、装置側楽曲情報１５３を所定のグループに分類し、分類されたグループに応じて、更新するか否かを決定する。以下詳述する。
【００９５】
図１２に示すように、記憶部１０１は、グループと、グループに属する装置側楽曲情報１５３の利用頻度とを対応付ける頻度情報１５７を更に記憶する。
【００９６】
グループは、装置側楽曲情報１５３を更新、追加あるいは削除する際の処理単位である。典型的には、制御部１０８は、楽曲情報データベース１５５に含まれる装置側楽曲情報１５３のそれぞれを、装置側楽曲情報１５３を構成するメタデータを用いてグループに分ける。図１２の例では、装置側楽曲情報１５３は楽曲のジャンルごとにグループ分けされているが、アルバム名、アーティスト名、年代など、任意の要素でグループ分けされてもよい。
【００９７】
利用頻度の定義の仕方には様々な手法がある。
例えば、制御部１０８は、ユーザからの指示により読み出した頻度をグループごとに集計することにより、利用頻度を求める。利用頻度は、制御部１０８が読み出した通算回数や、所定期間内（例えば最近１週間以内、１ヶ月以内など）に制御部１０８が読み出した回数で表される。あるいは、利用頻度は、制御部１０８による装置側楽曲情報１５３のすべての読み出し回数に対する、グループに属する装置側楽曲情報１５３の読み出し回数の割合で表される。
【００９８】
また、制御部１０８は、ユーザからの指示により制御部１０８が再生した頻度を、楽曲データ１５１が属するグループごとに集計することにより、利用頻度を求めてもよい。例えば、利用頻度は、制御部１０８が再生した通算回数や、所定期間内に制御部１０８が再生した回数で表される。あるいは、利用頻度は、制御部１０８による装置側楽曲情報１５３のすべての再生回数に対する、グループに属する装置側楽曲情報１５３の再生回数の割合で表される。
【００９９】
また、制御部１０８は、記憶部１０１に記憶されている楽曲データ１５１のそれぞれが属するグループを装置側楽曲情報１５３に基づいて判別し、各グループに属する楽曲データ１５１の総数や、記憶部１０１に記憶されている楽曲データ１５１の総数に対する各グループに属する楽曲データ１５１の数の割合を、利用頻度としてもよい。
【０１００】
例えば、制御部１０８は、楽曲データ１５１を再生すると、楽曲データ１５１に対応する装置側楽曲情報１５３を読み出し、装置側楽曲情報１５３が属するグループを判別する。そして、制御部１０８は、判別したグループに対応する通算回数（利用頻度）をインクリメントしたり、全体の再生回数に対する割合を再計算したりして、頻度情報１５７を更新する。
【０１０１】
次に、本実施形態における更新処理について、図１３のフローチャートを用いて説明する。この更新処理は、例えば、オーディオ装置１００がユーザによって端末２００に接続された後、開始される。
【０１０２】
まず、制御部１０８は、楽曲情報データベース１５５の現在のデータ量を取得し、取得したデータ量が所定値以上か否かを判別する（ステップＳ１３０１）。
【０１０３】
取得したデータ量が所定値以上でない場合（ステップＳ１３０１；ＮＯ）、制御部１０８は、後述するステップＳ１３０４の処理に移る。
【０１０４】
取得したデータ量が所定値以上である場合（ステップＳ１３０１；ＹＥＳ）、制御部１０８は、頻度情報１５７を参照し、グループ毎の利用頻度を取得する（ステップＳ１３０２）。
【０１０５】
制御部１０８は、取得した利用頻度が所定の閾値以上のグループに属する装置側楽曲情報１５３の差分データを取得する（ステップＳ１３０３）。すなわち、オーディオ装置１００と端末２００とサーバ３００とが上述のステップＳ６０２乃至Ｓ６１２と同様の処理を実行することにより、制御部１０８はサーバ３００から差分データを取得する。ここで取得される差分データは、利用頻度が閾値以上のグループに属する装置側楽曲情報１５３の差分データである。
【０１０６】
そして、制御部１０８は、取得した差分データを用いて楽曲情報データベース１５５を更新する（ステップＳ１３０４）。すなわち、利用頻度が閾値以上のグループに属する装置側楽曲情報１５３のみが更新される。
【０１０７】
例えば、記憶部１０１に記憶されている楽曲データ１５１の総数に対する各グループに属する楽曲データ１５１の総数の割合を各グループの利用頻度とし、上記所定の閾値を「５０％」に設定すると仮定する。もし、グループ“ロック”が８０％、グループ“ジャズ”が１０％、グループ“Ｒ＆Ｂ”が３％、その他が７％であったとすると、制御部１０８は、グループ“ロック”に属する装置側楽曲情報１５３のみを更新対象とする。そして、制御部１０８は、グループ“ロック”に属する装置側楽曲情報１５３の差分データをサーバ３００から取得し、更新する。
【０１０８】
例えば、記憶部１０１に記憶されている楽曲データ１５１のグループごとの総数を各グループの利用頻度とし、上記所定の閾値を「１」に設定すると仮定する。この場合、制御部１０８は、少なくとも１曲以上記録されているグループに属する装置側楽曲情報１５３を更新対象とし、１曲も記録されていないグループに属する装置側楽曲情報１５３は更新対象としない。
【０１０９】
例えば、記憶部１０１に記憶されている楽曲データ１５１のグループごとの総数を各グループの利用頻度とし、上記所定の閾値を「上位Ｃ個」に設定すると仮定する。この場合、制御部１０８は、総数の順位が１番目のグループ、２番目のグループ、・・・、Ｃ番目のグループに属する装置側楽曲情報１５３を更新対象とし、Ｃ＋１番目以下のグループに属する装置側楽曲情報１５３は更新対象としない。
【０１１０】
本実施形態によれば、オーディオ装置１００は、楽曲情報データベース１５５全体ではなくユーザによる利用頻度が高い範囲、言い換えれば、ユーザが相対的に高い関心をもっていると推定される範囲のデータのみ更新することができるので、楽曲情報データベース１５５の保持に必要な容量を抑えることができ、また、更新に要する時間を短縮することができる。
【０１１１】
（実施形態４）
次に、本発明のその他の実施形態について説明する。本実施形態では、オーディオ装置１００は、利用頻度が低い順に所定個数のグループを選択し、選択したグループに属する装置側楽曲情報１５３を削除することにより、データサイズを抑える。以下詳述する。
【０１１２】
図１４は、オーディオ装置１００が実行する装置側楽曲情報１５３の削除処理を説明するためのフローチャートである。
【０１１３】
以下の説明においては、パラメータｉ，Ｍ，Ｎを次のように定義する。
ｉ：繰り返し処理するためのカウンタ。
Ｍ：削除対象となるグループの数を指定するパラメータ。
Ｎ：グループの総数。
【０１１４】
まず、制御部１０８は、カウンタｉを初期化する（ステップＳ１４０１）。
【０１１５】
次に、制御部１０８は、楽曲情報データベース１５５の現在のデータ量を取得し、取得したデータ量が所定値以上か否かを判別する（ステップＳ１４０２）。
【０１１６】
取得したデータ量が所定値以上でない場合（ステップＳ１４０２；ＮＯ）、制御部１０８は削除処理を終了する。
【０１１７】
取得したデータ量が所定値以上である場合（ステップＳ１４０２；ＹＥＳ）、制御部１０８は、頻度情報１５７を参照し、グループ毎の利用頻度を取得する（ステップＳ１４０３）。
【０１１８】
制御部１０８は、取得した利用頻度が第（Ｎ−ｉ）位のグループを特定し、第（Ｎ−ｉ）位のグループに属する装置側楽曲情報１５３を削除する（ステップＳ１４０４）。
【０１１９】
例えばｉ＝０の場合、制御部１０８は、取得した利用頻度が第Ｎ位のグループ、すなわち、最も利用頻度が低いグループに属する装置側楽曲情報１５３を削除する。例えばｉ＝１の場合、制御部１０８は、取得した利用頻度が第（Ｎ−１）位のグループ、すなわち、２番目に利用頻度が低いグループに属する装置側楽曲情報１５３を削除する。
【０１２０】
ｉ＜Ｍ−１でない場合（ステップＳ１４０５；ＮＯ）、利用頻度が低い順にＭ個のグループに属する装置側楽曲情報１５３を削除したことになり、制御部１０８は削除処理を終了する。
【０１２１】
ｉ＜Ｍ−１の場合（ステップＳ１４０５；ＹＥＳ）、制御部１０８は、カウンタｉをインクリメントし（ステップＳ１４０６）、ステップＳ１４０２に戻る。つまり、制御部１０８は、ステップＳ１４０２乃至Ｓ１４０６の処理をＭ回繰り返す。
【０１２２】
例えば、記憶部１０１に記憶されている楽曲データ１５１のグループごとの総数を各グループの利用頻度とし、上記所定の閾値を「１」に設定すると仮定する。この場合、制御部１０８は、少なくとも１曲以上記録されているグループに属する装置側楽曲情報１５３を引き続き保持し、１曲も記録されていないグループに属する装置側楽曲情報１５３を削除する。
【０１２３】
例えば、記憶部１０１に記憶されている楽曲データ１５１のグループごとの総数を各グループの利用頻度とし、上記所定の閾値を「下位Ｃ個」に設定すると仮定する。この場合、制御部１０８は、総数の順位が最下位のグループ、２番目に少ないグループ、・・・、Ｃ番目に少ないグループに属する装置側楽曲情報１５３を削除対象とし、それ以外のグループに属する装置側楽曲情報１５３は削除しない。
【０１２４】
本実施形態によれば、オーディオ装置１００は、楽曲情報データベース１５５の全体ではなくユーザによる利用頻度が低い範囲、言い換えれば、ユーザが相対的にあまり関心をもっていないと推定される範囲のデータのみ削除することができるので、楽曲情報データベース１５５の保持に必要な容量を抑えることができ、また、更新に要する時間を短縮することができる。
【０１２５】
上記各実施形態では、オーディオ装置１００を端末２００に繋げ、端末２００を介してオーディオ装置１００がサーバ３００からサーバ側楽曲情報３１０を取得しているが、端末２００を介さず、オーディオ装置１００が直接ネットワーク４００に接続できるようにしてもよい。すなわち、オーディオ装置１００はネットワーク４００に繋げてサーバ３００と通信する通信部を更に備え、制御部１０８が通信部を制御してサーバ側楽曲情報３１０を取得するようにしてもよい。
【０１２６】
上記各実施形態はあくまでも説明のためのものであり、本願発明の範囲を限定するものではない。例えば、コンピュータをオーディオ装置１００の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これを別のコンピュータにインストールし、オーディオ装置１００として動作させ、あるいは、オーディオ装置１００が行う工程を実行させてもよい。さらに、インターネット上のサーバ装置が有するディスク装置等にプログラムを格納しておき、例えば、搬送波に重畳させて、コンピュータにダウンロード等するものとしてもよい。
【０１２７】
以上説明したように、本発明によれば、ローカルに保存するデータ量を抑えるために好適なオーディオ装置、情報記録方法、ならびに、プログラムを提供することができる。
【図面の簡単な説明】
【０１２８】
【図１】オーディオシステムの構成を説明するための図である。
【図２】オーディオ装置の構成を説明するための図である。
【図３】楽曲情報データベースの構成例を示す図である。
【図４】端末の構成を説明するための図である。
【図５】サーバの構成を説明するための図である。
【図６】実施形態１の更新処理を説明するためのフローチャートである。
【図７】更新範囲を設定する入力を受け付ける画面の構成例である。
【図８】更新範囲を設定する入力を受け付ける画面の他の構成例である。
【図９】実施形態２の削除処理を説明するためのフローチャートである。
【図１０】削除範囲を設定する入力を受け付ける画面の構成例である。
【図１１】優先順位を設定する入力を受け付ける画面の構成例である。
【図１２】頻度情報の構成例を示す図である。
【図１３】実施形態３の更新処理を説明するためのフローチャートである。
【図１４】実施形態４の削除処理を説明するためのフローチャートである。
【符号の説明】
【０１２９】
１０    オーディオシステム
１００  オーディオ装置
１０１  記憶部
１０２  入力受付部
１０３  音声処理部
１０４  画像処理部
１０５  Ｉ／Ｆ（インターフェース）
１０６  ＲＯＭ
１０７  ＲＡＭ
１０８  制御部
１２１  入力装置
１２２  スピーカー
１２３  ＬＣＤ
１２４  メモリカード
１５１  楽曲データ
１５３  装置側楽曲情報
１５５  楽曲情報データベース
１５７  頻度情報
２００  端末
２０１  通信部
２０２  入力受付部
２０３  出力部
２０４  Ｉ／Ｆ（インターフェース）
２０５  記憶部
２０６  制御部
３００  サーバ
３０１  通信部
３０２  記憶部
３０３  制御部
３１０  サーバ側楽曲情報
４００  ネットワーク
７００，８００，１０００，１１００  画面
【図１】
2010054630.tif 000003
【図２】
2010054630.tif 000004
【図３】
2010054630.tif 000005
【図４】
2010054630.tif 000006
【図５】
2010054630.tif 000007
【図６】
2010054630.tif 000008
【図７】
2010054630.tif 000009
【図８】
2010054630.tif 000010
【図９】
2010054630.tif 000011
【図１０】
2010054630.tif 000012
【図１１】
2010054630.tif 000013
【図１２】
2010054630.tif 000014
【図１３】
2010054630.tif 000015
【図１４】
2010054630.tif 000016